【手続補正書】
【提出日】平成17年1月31日(2005.1.31)
【手続補正１】
【補正対象書類名】明細書
【補正対象項目名】全文
【補正方法】変更
【補正の内容】
【書類名】  明細書
【発明の名称】  加熱調理器
【特許請求の範囲】
【請求項１】  加熱手段に電源を供給する電源供給経路と、前記電源供給経路の途中に設けた第１のスイッチと、前記加熱手段の駆動を制御する制御手段と、前記第１のスイッチの負荷側の前記電源供給経路間に接続され前記制御手段に制御電源を供給する第１の制御電源供給手段と、前記第１のスイッチの電源側の前記電源供給経路間に接続され前記制御手段に制御電源を供給する第２の制御電源供給手段とを備え、前記第１のスイッチの電源側電源供給経路間に第２のスイッチとコンデンサの直列接続体を接続するとともに、前記第１のスイッチが開から閉となった後、前記第２のスイッチを開から閉とする加熱調理器。
【請求項２】  第２のスイッチは加熱手段への通電状態に応じて開または閉とする請求項１に記載の加熱調理器。
【請求項３】  第１のスイッチが閉から開となった後、前記第２のスイッチを閉から開とする請求項１に記載の加熱調理器。
【請求項４】  第１のスイッチが閉から開となって、所定時間経過後前記第２のスイッチを閉から開とする請求項３に記載の加熱調理器。
【請求項５】  制御命令を入力する入力装置を備え、前記入力装置の出力する制御命令に応じて第２のスイッチの開閉状態を変更する請求項１〜４のいずれか１項に記載の加熱調理器。
【請求項６】  電源の位相を検知する位相検知手段を備え、前記位相検知手段の検出結果に基づき第２のスイッチを開から閉へとまたは閉から開へと開閉状態を変更する請求項１〜５のいずれか１項に記載の加熱調理器。
【請求項７】  加熱手段の駆動を制御する制御手段に制御電源を供給する制御電源供給手段と、第１のスイッチの電源側電源供給経路に設けたコモンモードコイルとを備え、前記コモンモードコイルの加熱部側端子間に前記制御電源供給手段の入力端子を接続し、前記コモンモードコイルの電源側端子間に第２のスイッチとコンデンサの直列接続体を接続した請求項５または請求項６に記載の加熱調理器。
【請求項８】  コンデンサの両端に放電抵抗を接続した請求項１〜７のいずれか１項に記載の加熱調理器。
【請求項９】  制御手段に制御電源を供給する制御電源供給手段を備え、前記制御電源供給手段は、第２のスイッチに直列接続されたコンデンサの端子に入力端子を接続した請求項１〜８のいずれか１項に記載の加熱調理器。
【発明の詳細な説明】
【０００１】
【発明の属する技術分野】
本発明は、インバータなどの高周波雑音源を有し、電源線から機器外に漏洩する濾波回路の必要な加熱調理器に関する。
【０００２】
【従来の技術】
従来、この種の加熱調理器として、例えば、図４に示すような誘導加熱調理器がある。図４において、商用電源１に接続されたコンセント（図示せず）に、差込プラグ等の接続器２を接続することにより、機器の入力端子Ａ，Ａ’が商用電源に接続される。入力端子Ａ，Ａ’と電源スイッチ６の間の商用電源線には、コンデンサ３と抵抗４とが並列に接続され、コモンモードコイル５が直列に接続される。
【０００３】
７は全波整流器で、その入力端子の一端は電源スイッチ６の負荷側端子と接続され、他端はコモンモードコイル５の他極出力端子に接続されている。全波整流器７の出力端子はインバータ８に接続されている。インバータ８には、加熱コイル８ａ、ＩＧＢＴ８ｂ及び共振コンデンサや平滑コンデンサなどを有する共振回路ブロック８ｃが含まれている。１２は電源トランスでその一次巻き線は電源スイッチ６の負荷側の商用電源線間に接続され、二次巻き線は制御電源回路１０に接続され、制御電源回路１０は制御手段１１に制御電源を供給する。９はカレントトランスで、その出力信号を制御手段１１に出力する。制御手段１１は商用電源線の電圧あるいはインバータで発生する電圧を入力して、ＩＧＢＴ８ｂを駆動する。
【０００４】
上記従来の誘導加熱調理器の動作を以下に説明する。電源スイッチ６を投入すると、全波整流器７の入力端子に商用電源１がコモンモードコイル５を経由して供給され、インバータ８に全波整流された直流電圧が出力される。また、電源トランス１２も商用電源１を同様に入力するので、制御電源回路１０は制御手段１１に直流の平滑した制御電源電圧を供給し、これによって制御手段１１は動作可能となる。制御手段１１は、この状態で入力装置（図示せず）から加熱命令を入力するとＩＧＢＴ８ｂを駆動して、共振回路ブロック８ｃ及び加熱コイル８ａに約２０ｋＨｚの高周波電流を発生させる。
【０００５】
インバータ８が動作し、加熱コイル８ａに高周波電流を供給すると、高周波の伝導雑音が全波整流器７の出力端子から入力端子そして、機器の入力端子Ａ，Ａ’から商用電源１の側へと漏洩する。この漏洩する伝導雑音を低減するためにコモンモードコイル５とコンデンサ３が設けられている。コモンモードコイル５によりコモンモードノイズが、コンデンサ３によりノーマルモードノイズの漏洩が抑制される。抵抗３は、接続器２を商用電源１から切り離した時にコンデンサ３に蓄積した電荷を放電し接続器２の電極に触れた時に感電しないようにするものである。
【０００６】
【発明が解決しようとする課題】
上記の加熱調理器において、電源スイッチ６を開とする（オフする）とインバータ８、電源トランス１２及び制御手段１１への電源供給が遮断されるが、抵抗４及びコンデンサ３への電源供給が遮断されないので待機電力が完全に零とはならなかった。また、これを避けるためコモンモードコイル５、コンデンサ３を電源スイッチ６の負荷側の電源線に設けると、電源スイッチ６を接続する配線部分すなわち、入力端子Ａ，Ａ’から電源スイッチ６を含みコモンモードコイル５及びコンデンサ３の接続点までの配線部分がインバータ８から発生する輻射雑音の影響を受け高周波雑音を発生し商用電源側に伝導雑音となって漏洩する恐れがあった。
【０００７】
本発明は、上記従来の課題を解決するもので、待機電力を小さくしかつ伝導雑音を抑制できる加熱調理器を提供することを目的とする。
【０００８】
【課題を解決するための手段】
前記従来の課題を解決するために、本発明の加熱調理器は、加熱手段に電源を供給する電源供給経路と、前記電源供給経路の途中に設けた第１のスイッチと、前記加熱手段の駆動を制御する制御手段と、前記第１のスイッチの負荷側の前記電源供給経路間に接続され前記制御手段に制御電源を供給する第１の制御電源供給手段と、前記第１のスイッチの電源側の前記電源供給経路間に接続され前記制御手段に制御電源を供給する第２の制御電源供給手段とを備え、前記第１のスイッチの電源側電源供給経路間に第２のスイッチとコンデンサの直列接続体を接続するとともに、前記第１のスイッチが開から閉となった後、前記第２のスイッチを開から閉とする構成としたものである。
【０００９】
これにより、第１のスイッチの加熱手段側に設けたフィルターで十分濾波できない雑音をコンデンサにより低減することができるとともに、必要がない場合には、コンデンサを切り離して待機電力を抑制することができる加熱調理器が得られる。
【００１０】
【発明の実施の形態】
請求項１に記載の発明は、加熱手段に電源を供給する電源供給経路の途中に設けた第１のスイッチを備えているので、加熱手段への電源供給を第１のスイッチにより遮断することができる。
【００１１】
また、第１のスイッチの電源側の極性の異なる電源供給経路間に第２のスイッチとコンデンサの直列接続体を接続したので、第２のスイッチを閉とすることにより、電源と第１のスイッチとを接続する配線、あるいは第１のスイッチの電源側に設けられたコモンモードコイルに、機器の内部の高周波発生源からの輻射により誘導されるノーマル雑音をコンデンサの作用により低減することができる。
【００１２】
また、コンデンサによる雑音低減作用を必要としないとき、第２のスイッチを開とすることにより、コンデンサを電源線間から切り離して、コンデンサが接続されることにより発生する待機電力をなくすことができる。
【００１３】
また、第１のスイッチが開から閉となった後、第２のスイッチを開から閉とすることにより、第１のスイッチを閉とすると、雑音が発生する可能性があるので、雑音を低減すべく第２のスイッチを閉として待機することができるとともに、第１のスイッチが開となると雑音を低減する必要がないので第２のスイッチを開としてコンデンサを非接続として、待機電力を節約することができ、第１及び第２のスイッチが共に開となってからは、第１のスイッチを閉にしない限り、コンデンサによる待機電力の発生を防止することができる。
【００１４】
請求項２記載の発明は、特に、第２のスイッチは加熱手段への通電状態に応じて開または閉とすることにより、加熱手段の通電により雑音が多くなる場合、あるいは多くなると予想される場合には閉として電源に漏洩するノーマルモード雑音を低減するとともに、雑音が少ない状態の時には開としてコンデンサを非接続として、待機電力を少なくできる。また、第２のスイッチを閉とする機会を減じて、第２のスイッチの駆動に要する消費電力を節約することができる。
【００１５】
請求項３に記載の発明は、特に、第１のスイッチが閉から開となった後、第２のスイッチを閉から開とすることにより、第１のスイッチを開にしない限りコンデンサが電源線間に接続されるのでコンデンサによる雑音の低減作用を安定して得るとともに、第１のスイッチを開にすれば、電源供給が遮断されるので雑音が発生せず、その後適宜、第２のスイッチが開とすることでコンデンサによる待機電力の発生をなくすることができる。
【００１６】
請求項４に記載の発明は、特に、第１のスイッチが開となって所定時間経過後、第２のスイッチを開とするので、第１のスイッチを短時間で開閉を繰り返した場合にその都度第２のスイッチが開閉を行わないので第２のスイッチの開閉機会を減じ第２のスイッチの耐久性を向上させることができる。
【００１７】
請求項５に記載の発明は、特に、制御命令を入力する入力装置を備え、前記入力装置の出力する制御命令に応じて第２のスイッチの開閉状態を変更することにより、コンデンサを電源線間に接続する機会及び時間を減らし、第２のスイッチの駆動に要する電力を低減し、電源スイッチ切り忘れ時の消費電力を低減することができる。
【００１８】
請求項６に記載の発明は、特に、交流電源の位相を検知する位相検知手段を備え、前記位相検知手段の検出結果に基づき前記第２のスイッチを開から閉へと開閉状態を変更するので、電源が交流電源の場合に、交流電源の零電圧近傍で第２のスイッチを閉として閉時の突入電流が大きくなり過ぎないようにし、第２のスイッチがリレー等の機械接点であれば第２のスイッチを閉とするタイミングを特性の位相あるいは極性に偏らないようにランダムにして、溶着などが起こりにくくし、信頼性を高めることができる。
【００１９】
請求項７に記載の発明は、特に、制御手段に制御電源を供給する制御電源供給手段と、電源供給経路に設けたコモンモードコイルを有し、前記コモンモードコイルの加熱部側端子間に前記制御電源供給手段の入力端子を接続し、前記コモンモードコイルの電源側端子間に第２のスイッチとコンデンサの直列接続体を接続したことにより、制御電源供給手段の入力端子から商用電源へと漏洩する雑音をコモンモードコイルにより抑制するとともに、コモンモードコイルを付加することにより増加するノーマルモード雑音をその電源側端子に接続されたコンデンサにより効果的に低減することができる。
【００２０】
請求項８記載の発明は、特に、コンデンサの両端に放電抵抗を接続したことにより、第１のスイッチが開で、かつ第２のスイッチが閉の場合において、入力端子が電源から切り離されたときに、コンデンサに蓄積された電荷を放電することができるので、入力端子に触れて感電するのを防止することができるとともに、基板交換などの補修作業の際に、基板に触れて感電するのを防止することが出来る。
【００２１】
請求項９に記載の発明は、特に、制御手段に制御電源を供給する制御電源供給手段を備え、前記制御電源供給手段は、第２のスイッチに直列接続されたコンデンサの端子に入力端子を接続したので、第１のスイッチ開後においても制御手段に第２のスイッチを閉とすることにより、制御手段を動作させることができる。例えば電源スイッチ開後に冷却ファンを動作させたり、加熱部の高温を表示する機能を設けたりすることができる。そして、それらの機能を働かせる必要がなくなり次第第２のスイッチを開として、待機電力を低減することができる。また、第１のスイッチが開で、かつ第２のスイッチが閉のまま入力端子が商用電源から切り離されたとき、コンデンサに蓄積された電荷が、制御電源供給手段の入力インピーダンスにより放電されるので入力端子に触れて感電する恐れを無くすことができる。
【００２２】
【実施例】
（実施例１）
以下本発明の一実施例について、図面を参照しながら説明する。図１は高周波磁界で被加熱鍋を加熱するための誘導加熱コイルを有する誘導加熱調理器の回路ブロック図である。
【００２３】
プラグなどの接続器２１により、誘導加熱調理器の入力端子２１ａと他の入力端子である２１ｂが商用電源２０に接続される。入力端子２１ａにはいわゆる電源スイッチの機能を有する第１のスイッチ２２の電源側端子２２ａがコモンモードコイル３１を介して接続され、インバータ２６側（負荷側）端子２２ｂは、ダイオード２３ａ〜２３ｄの４個のダイオードでブリッジ構成されてなる全波整流器２３の入力端子（ダイオード２３ａのアノード）に接続される。他の入力端子２１ｂはコモンモードコイル３１を介して全波整流器２３の他の入力端子（ダイオード２３ｄカソード）に接続される。全波整流器２３の出力端子（ダイオード２３ａのカソード（正極端子）、ダイオード２３ｄのアノード（負極端子））にはインバータ２６が接続され、インバータ２６は、加熱コイル２６ｂ、スイッチング素子２６ｃあるいは共振コンデンサ（図示せず）等を含む他の回路ブロック２６ａを含み、スイッチング素子２６ｃがオンオフすることにより、加熱コイル２６ｂに高周波電流を供給する。
【００２４】
入力端子２１ａと極性の異なる他の入力端子２１ｂとの間には、リレー２４の接点とコンデンサ２５の直列接続体が接続される。制御手段２７は操作キーを有する入力装置２７ａ、スイッチング素子２６ｃを駆動する加熱制御装置２７ｂ、位相検知手段２７ｃ及び、全波整流器２３の入力端子間に接続された抵抗２７ｄと抵抗２７ｅの直列接続体、冷却ファン駆動装置２７ｇとを有している。抵抗２７ｄと抵抗２７ｅの接続点と全波整流器２３の負極出力端間に抵抗２７ｆと、位相検知手段２７ｃの入力端子が並列に接続される。なお、制御手段２７の共通電位は、全波整流器２３の出力の負極電位及びスイッチング素子２６ｃのエミッタ（低電位側端子）に接続される。また、加熱制御装置２７ｂは、入力装置２７ａ、位相検知手段２７ｃの出力信号を入力し、冷却ファン駆動装置２７ｇ、リレー２４の駆動コイル（図示せず）及びスイッチング素子２６ｃに駆動信号を出力する。
【００２５】
第１のトランス２８ａの一次側（入力側）端子の一端は、第１のスイッチ２２の負荷側端子２２ｂに接続され、その他端はコモンモードコイル３１の出力端に接続される。第１のトランス２８ａの出力端子は第１の電源回路２８ｂに接続される。第２のトランス２９ａの一次側端子は、コンデンサ２５の両端に接続される。第２のトランス２９ａの出力端子は第２の電源回路２９ｂに接続される。第１の電源回路２８ｂと第２の電源回路２９ｂの出力電圧は制御電源回路３０に供給され、制御電源回路３０から制御手段２７の各回路に直流の制御電源が供給される。
【００２６】
以上のように構成された加熱調理器についてその動作を説明する。接続器２１を電源接続用のコンセントに接続して、入力端子２１ａと入力端子２１ｂを商用電源２０に接続しても、第１のスイッチ２２とリレー２４がともに開となっていれば、第１の電源回路２８ｂ、第２の電源回路２９ｂ、インバータ２６には電源が供給されない。
【００２７】
電源スイッチ２２を閉とすると、第１の電源トランス２８ａの一次巻き線に電源電圧が印加されるので第１の電源回路２８ｂは、制御電源３０に制御電源電圧を供給する。制御電源３０は、制御手段２７に必要な制御電源（直流電源）電圧を供給するので、制御手段３０が動作可能となる。
【００２８】
位相検知回路２７ｃは、電源スイッチ２２を閉とすると、抵抗２７ｄと抵抗２７ｅの接続点の電圧を入力し、共通電位を全波整流器２３の負極出力端子を共通電位としているので、商用電源２０が全波整流器２３の各ダイオードで整流され、抵抗２７ｄと抵抗２７ｆ、または抵抗２７ｅと抵抗２７ｆの抵抗分割された電圧を入力する。従って、抵抗２７ｄと抵抗２７ｅが略等しければ、図２（ａ）で示すような商用電源電圧を全波整流した波形を抵抗分割した波形を位相検知手段２７ｃへ入力することになる。位相検知手段２７ｃはこの波形を入力すると、加熱制御装置２７ｂへと図２（ｂ）のように波形整形を行ない出力する。
【００２９】
加熱制御装置２７ｂは図２（ｂ）の信号を入力している状態で、入力装置２７ａから加熱開始命令を入力すると、リレー２４の駆動コイルを駆動しその接点を閉とする。そして、リレー２４の接点が閉となってから、スイッチング素子２６ｃの駆動信号を出力してインバータ２６を駆動して加熱コイル２６ｂに高周波電流を供給し被加熱物を加熱する。
【００３０】
リレー２４の接点が閉となると、コンデンサ２５は入力端子２１ａと入力端子２１ｂに接続される電位の異なる電源供給経路間に接続されるので、インバータ２６から電源供給経路に漏洩する、あるいは電源供給経路自身がインバータ２６の発生する輻射雑音の影響を受けて電源供給経路に発生するノーマルモード雑音（位相の異なる雑音）を低減することができる。また、第２のトランス２９ａの一次巻き線に電圧が印加するので第２の電源回路２９ｂからの電源供給が可能となる。
【００３１】
第１のスイッチ２２がインバータ２６の動作中に開となると、位相検知手段２７の入力電圧が図２（ｃ）に示すような半波整流波形になり、位相検知手段２７から加熱制御装置２７ｂへと図２（ｄ）のように波形整形を行い出力するので、加熱制御手段２７ｂは図２（ｂ）の波形との差を識別して、第１のスイッチ２２が開となったことを認識し、インバータ２６の動作を停止する。
【００３２】
制御手段２７は、第１のスイッチ２２が開となっても、第２の電源回路２９ｂの経路から制御電源の供給を受けることができるので、冷却ファン駆動装置２７ｇは、インバータ２６の余熱を排出する必要があれば冷却ファン（図示せず）を動作させることができる。この冷却ファンの動作、あるいは第１のスイッチ２２が開となった後での制御手段２７の動作が必要でなくなったと判断すると、加熱制御装置２７ｂは、リレー２４の接点を開とする。
【００３３】
このとき、コンデンサ２５が入力端子２１ａから開放されるので、コンデンサおよびコンデンサに並列に接続された抵抗成分の合成インピーダンスが消費する待機電力をなくすことができる。
【００３４】
また、第１のスイッチ２２が開で、リレー２４が閉の状態で、入力端子２１ａ，２１ｂが商用電源２０から開放されても、コンデンサに蓄積された電荷は、第２のトランス２９ａの一次巻き線を介して迅速に放電されるので、入力端子２１ａ，２１ｂに触れても感電する恐れがない。
【００３５】
また、位相検知手段２７ｃは図２（ｂ）、（ｃ）の波形を出力するので、加熱制御装置２７ｂはその出力波形から電源の位相を検知し、リレー２４の接点の開閉タイミングをゼロ位相あるいはランダムな位相で行うようにして、リレー２４が溶着しにくくすることにより信頼性を向上することができる。
【００３６】
以上のように本実施例によれば、インバータ２６に電源電流あるいは電圧を供給する電源供給経路（入力端子２１ａから全波整流器２３の入力端子となるダイオード２３ａのアノードに至る電源供給経路）の途中に、第１のスイッチ２２を設け、第１のスイッチ２２よりも電源側の極性の異なる電源供給経路間にリレー２４とコンデンサ２５の直列接続体を接続したので、第１のスイッチ２２を開とすることにより、加熱コイル２６ａによる加熱動作を確実に停止することができる。また、電源供給経路間にコンデンサ２５とリレー２４の直列接続体とを有するので、リレー２４を閉とすることにより、インバータ２６から電源側に漏洩するノーマル雑音や、第１のスイッチ２２に接続される配線等の内部配線、あるいは入力端子と第１のスイッチ２２との間にコモンモードコイル３１を設けることで入力端子２１ａ，２１ｂ間に発生する高周波のノーマル雑音を低減することができる。さらに、コンデンサを必要としない場合、すなわち、高周波雑音が発生する恐れのない場合にはリレー２４を開とすることにより、コンデンサ２５に商用電源が印加しないようにして、待機電力を抑制することができる。
【００３７】
また、制御手段２７はインバータ２６が加熱状態となると閉としているのでリレー２４が閉となる時間を低減することにより、待機電力をさらに低減することができる。
【００３８】
また、リレー２４は第１のスイッチ２２が開となってからリレー２４を開とするので、雑音を確実に低減できるとともに待機電力を抑制することができる。
【００３９】
また、制御命令を入力する入力装置２７ａの出力する制御命令に応じてリレー２４の開閉状態を変更することにより、コンデンサ２５の電源供給経路への接続あるいは切り離しのタイミングを効率良く決め、待機電力を効率良く低減することができる。
【００４０】
また、制御手段２７は交流電源の位相を検知する位相検知手段２７ｃの検出結果に基づきリレー２４を開から閉へとまたは閉から開へと開閉状態を変更するので、リレー２４の接点の開閉タイミングを商用電源周期のゼロ位相あるいはランダムな位相で行うようにして、リレー２４が溶着しにくくすることにより信頼性を向上することができる。
【００４１】
また、制御手段２７に制御電源を供給する第２のトランス２９ａの一次巻き線がコンデンサ２５の両端間に接続されているので、第１のスイッチ２２が開状態で、かつリレー２４が閉状態の時に、入力端子２１ａと入力端子２１ｂが電源２０から開放されても、コンデンサ２５から第２のトランス２９ａの一次巻き線により素早く放電されるため、コンデンサ２５に残留する電荷により感電する恐れがなくなる。
【００４２】
（実施例２）
図３に実施例２の回路ブロックを示す。この図において、図１と同様の構成となる部分、すなわち、接続器２１，第１のスイッチ２２，全波整流器２３，リレー２４，コンデンサ２５，インバータ２６，第１のトランス２８ａ，第１の電源回路２８ｂ，制御電源回路３０，コモンモードコイル３１は、図１と同符号を付し、説明を省略する。
【００４３】
図３において、図１と異なるのは、まず、コンデンサ２５の両端に抵抗３５が接続され、第３のトランス３２ａの一次巻き線は、コモンモードコイル３１の第１のスイッチ２２と全波整流器２３とを介してインバータ２６へ接続されている側の端子に、リレー（第３のスイッチ）３４を介して接続されていること、制御手段３３が第１のスイッチ２２の閉を検知すると、リレー２４及びリレー３４の駆動信号を出力すること、及び制御手段３３が第１のスイッチ２２の開を検知すると、所定時間後リレー２４及びリレー３４を開とすることである。
【００４４】
以上のように構成された加熱調理器について以下説明する。第１のスイッチ２２を閉とすると、制御手段３３が第１のスイッチ２２の負荷側端子から入力する電圧波形の変化を見て、即座に、あるいは所定時間後に、あるいはインバータ２６の駆動命令が入力されるのを待ち、リレー２４とリレー３４を閉とする。これにより、コンデンサ２５が入力端子２１ａと入力端子２１ｂとの間、あるいはそれらの端子に接続された電源線間に接続されるとともに、第３の電源回路３２ｂから制御手段３３への制御電源供給が可能となる。
【００４５】
使用者からの制御命令（加熱命令）が制御手段３３に入力されるとインバータ２６が動作し加熱コイル（図示せず）に高周波電流が供給され、被加熱鍋（図示せず）を加熱する。このとき、インバータ２６から電源線を経由して伝導する高周波雑音や、コモンモードコイル３１や配電線にインバータ２６からの輻射雑音の影響により電源線間にノーマルモード雑音が発生するが、コンデンサ２５によりバイパスされ、商用電源２０へ漏洩する雑音が低減される。
【００４６】
第１のスイッチ２２が開となると、第１の電源回路２８ｂからの制御電源供給はされなくなるが、第３の電源回路３２ｂから制御電源が供給されるので、制御手段３３の動作は継続して可能となる。制御手段３３は第１のスイッチ２２が開となってから、冷却ファンの駆動や表示、あるいは監視といった他の制御動作を行う必要がなくなれば、リレー２４とリレー３４をともに開とする。これ以降においては、第１のスイッチ２２を閉とすることがないかぎり、制御手段３３あるいはコンデンサ２５及び抵抗３５による消費電力を無くすことができる。
【００４７】
以上のように、本実施例によれば、インバータ２６に電源を供給する電源供給経路と、電源供給経路の一方に設けた第１のスイッチ２２とを備え、第１のスイッチ２２よりも電源側の電源線間にリレー２４とコンデンサ２５の直列接続体を接続するとともに、リレー２４は第１のスイッチ２２の開閉状態に応じて開閉することにより、第１のスイッチ２２を開としてから消費する待機電力を低減することができる。
【００４８】
また、コモンモードコイル３１の加熱部側端子間に第３のトランス３２ａの入力端子を接続し、コモンモードコイル３１の電源側端子間にリレー２４とコンデンサ２５の直列接続体を接続したことにより、第３のトランス３２ａの一次巻き線、あるいは一次巻き線に接続される電源線から商用電源２０に漏洩する雑音をコモンモードコイル３１により減衰させ雑音が増加するのを防止することができる。
【００４９】
なお、第１の実施例において第１のトランス２８の片側端子はコモンモードコイル３１の加熱部側端子に第１のスイッチを介して接続する構成としたが、第１のスイッチを介さず直接にコモンモードコイル３１の加熱部側端子に接続しても、第１のスイッチよりも電源側の電源線間にリレー２４とコンデンサ２５の直列接続体を接続し、リレー２４の開閉により、第１のスイッチ２２を開としてから消費する待機電力が低減されるという同等の効果が得られることは言うまでもない。
【００５０】
また、第１の実施例において第１の電源回路２８ｂは第１のトランス２８ａを介してコモンモードコイル３１の加熱部側端子の両端間に接続する構成としたが、第１の電源回路２８ｂをスイッチング電源に置き換えて、コモンモードコイル３１の加熱部側端子のどちらか一方、あるいは第１のスイッチの加熱部側端子に入力端子を接続しても、第１のスイッチよりも電源側の電源線間にリレー２４とコンデンサ２５の直列接続体を接続し、リレー２４の開閉により、第１のスイッチ２２を開としてから消費する待機電力が低減されるという同等の効果が得られることは言うまでもない。
【００５１】
また同様に、第１の実施例において第２の電源回路２９ｂは第２のトランス２９ａの一次側巻き線をコンデンサ２５の両端間に接続する構成としたが、第２の電源回路２９ｂをスイッチング電源に置き換えて、リレー２４を接続しているコンデンサ２５の端子に入力端子を接続しても、第１のスイッチよりも電源側の電源線間にリレー２４とコンデンサ２５の直列接続体を接続し、リレー２４の開閉により、第１のスイッチ２２を開としてから消費する待機電力が低減されるという同等の効果が得られることは言うまでもない。
【００５２】
【発明の効果】
以上のように請求項１〜９に記載の発明によれば、第１のスイッチを閉とすると、雑音が発生する可能性があるので、雑音を低減すべく第２のスイッチを閉として待機することができるとともに、第１のスイッチが開となると雑音を低減する必要がないので第２のスイッチを開としてコンデンサを非接続として、待機電力を節約することができ、第１及び第２のスイッチが共に開となってからは、第１のスイッチを閉にしない限り、コンデンサによる待機電力の発生をなくすることが可能となる。
【図面の簡単な説明】
【図１】
本発明の実施例１における加熱調理器の回路ブロック図
【図２】
（ａ）本発明の実施例１における加熱調理器の第１のスイッチが閉時の場合の位相検知手段への入力波形を示す図
（ｂ）同第１のスイッチが閉時の場合の位相検知手段の出力波形を示す図
（ｃ）同第１のスイッチが開時の場合の位相検知手段への入力波形を示す図
（ｄ）同第１のスイッチが開時の場合の位相検知手段の出力波形を示す図
【図３】
本発明の実施例２における加熱調理器の回路ブロック図
【図４】
従来の加熱調理器の回路ブロック図
【符号の説明】
２１  接続器
２２  第１のスイッチ
２３  全波整流器（加熱手段）
２４  リレー（第２のスイッチ）
２５  コンデンサ
２６  インバータ（加熱手段）
２７  制御手段
２７ａ  入力装置（制御手段）
２７ｂ  加熱制御装置（制御手段）
２７ｃ  位相検知手段
２９ａ  第２のトランス（制御電源供給手段）
２９ｂ  第２の電源回路（制御電源供給手段）
３０  制御電源回路
３１  コモンモードコイル
３２ａ  第２の電源トランス（制御電源供給手段）
３２ｂ  第２の電源回路（制御電源供給手段）
３３  制御手段